(57)【要約】【課題】  接続要素の接続・解除操作が極めて簡易に行える新規な接続構造と、これを適用した新規な装身具を提供する。【解決手段】  本発明は、保持枠体２１と保持空間２２と押し抜け開放部２３とキャッチ端部２４と押込誘導部２５とを具えた受入保持要素２と、係止枠体３１と係止受入部３２とを具えた押込係止要素３を一対の接続要素とし、係合受入状態では係止枠体３１を押込誘導部２５に当てがいながら両者を接近させ、係止枠体３１の一部でキャッチ端部２４を押し拡げ押し抜け開放部２３を開放させ、係止枠体３１を保持空間２２に入れ、係止枠体３１の内側（係止受入部３２）にキャッチ端部２４を収め、また係合維持状態では、係止枠体３１が押し抜け開放部２３に臨まない係合維持姿勢を維持し、更に係合離脱状態では、係止枠体３１で押し抜け開放部２３を拡げるように両者を分離方向に相対的に移動させ、接続状態を解除することを特徴とする。【選択図】図１
2016221179.tif 000002
【特許請求の範囲】
【請求項１】
受入保持要素と押込係止要素とから成る一対の要素部材が、係合受入状態から係合維持状態、更に係合離脱状態を選択するように構成された接続構造であって、
前記受入保持要素は、保持枠体と、この保持枠体に囲まれる保持空間と、保持枠体を一部で不連続状に形成した押し抜け開放部と、その不連続状の端部に形成され、前記押し抜け開放部を弾性的に閉鎖するキャッチ端部とを具え、且つこのキャッチ端部は、少なくとも保持枠体の外側に押込誘導部を具えて成るものであり、
一方、押込係止要素は、閉鎖環状の係止枠体を具え、その内側を係止受入部とするものであり、
前記受入保持要素と押込係止要素とは、係合受入状態では互いに、両者の相対姿勢を係止維持姿勢とは異なる係合受入姿勢として、押込係止要素の係止枠体を受入保持要素の押込誘導部に当てがって、両者を接近させ、押込係止要素における係止枠体の一部でキャッチ端部を押し拡げて押し抜け開放部を拡げ、係止枠体の一部を保持空間に押し入れるとともに、押込係止要素の係止受入部に、受入保持要素のキャッチ端部を収めた状態とし、
更に係合維持状態では、押込係止要素の係止枠体は、受入保持要素の押し抜け開放部に臨まない係合維持姿勢を維持し、
更に係合離脱状態では、押込係止要素の係止枠体を、受入保持要素の押し抜け開放部に臨ませた状態で、押し抜け開放部を拡げるように両者を分離方向に相対的に移動させ、接続状態を解除するようにしたことを特徴とする接続構造。
【請求項２】
前記係合維持姿勢では、押込係止要素における係止枠体の内側で、受入保持要素のキャッチ端部を捕捉し、押し抜け開放部の開放を阻止する構成であることを特徴とする請求項１記載の接続構造。
【請求項３】
前記係合離脱のための係合離脱操作は、押込係止要素を受入保持要素に対し、係合受入のための係合受入操作を行うときとほぼ同じ方向に相対的に押し込む操作であり、
前記押込係止要素の係止枠体を、受入保持要素の保持空間の内側に収めるようにして、接続状態を解除するようにしたことを特徴とする請求項１または２記載の接続構造。
【請求項４】
装身具本体の一端に受入保持要素を取り付けるとともに、もう一方の端部に押込係止要素を取り付け、装着時には受入保持要素の保持枠体と、押込係止要素の係止枠体を接続させ、両者を係合させるようにした装身具において、
前記請求項１から３のいずれか１項記載の接続構造を適用したことを特徴とする装身具。
【発明の詳細な説明】
【技術分野】
【０００１】
本発明は、例えばネックレス、ペンダント、ブレスレット、アンクレット等の装身具の留め具として適する接続構造に関するものであり、特に接続・解除操作が簡易な操作で行えるようにした新規な接続構造と、これを適用した新規な装身具に係るものである。
【背景技術】
【０００２】
従来、ネックレスやペンダント等に多く用いられてきた留め具１′としては、例えば図９（ａ）に示すように、引き輪Ｒ１と止め輪Ｒ２（いわゆるダルマ）とを接続要素としたものや、図９（ｂ）に示すように上記引き輪Ｒ１の代わりにトリガー式のフック状引き輪Ｒ１′を接続要素としたものが多く用いられていた。
しかしながら、このような従来の留め具１′にあっては、以下のような問題があった。まず各々の接続要素自体が、極めて小さいことから、その開閉操作端Ｔは更に小さく形成され、このためその開閉操作は極めて行いづらいものであった。
【０００３】
また、ネックレス等の場合、留め具１′の開閉操作は、首の後ろ側での操作となるのが一般的であり、このため装着者が引き輪Ｒ１の開閉状況を目視することができず、開閉操作は、より一層行いづらかった。特に、冬場など手がかじかんでいる場合等には指先が思うように動かず、このようなときの開閉操作は、困難を究めるものであった。
また、開閉操作は、通常、装着者が両手を使って行うが（例えば利き手（指）で引き輪Ｒ１を開き、もう一方の手（指）で止め輪Ｒ２を持つ）、このような操作は、上述したように健常者でも難しいのであるから、手や指の操作が円滑にできない人や高齢者にとっては、更に困難な操作となっていた。
もちろん、留め具１′の引き輪Ｒ１（Ｒ１′）と止め輪Ｒ２のサイズを大きくすれば、開閉操作端Ｔも大きく形成できることから、留め具１′の開閉操作そのものは行い易くなるが、装身具本体１０′に対し接続要素のみを大きく形成したのでは、装身具（ジュエリー）のデザインとしてはアンバランスになり（留め具１′は言わば脇役）、また留め具１′は一般に地金で形成されるため、これを大きく形成することは装身具全体のコストアップや重量増加等を招くため採用できなかった。
【０００４】
このようなことから、簡単な操作で開閉操作が行える留め具が求められていた（例えば特許文献１〜３参照）。
なお、手首に嵌めるブレスレットの場合には、健常者であっても片手（嵌める方の手）が開閉操作に使用できず（開閉操作を片手で行わなければならず）、簡単な操作で取り付け・取り外しが行える留め具の開発が、より一層、求められていた。因みに、このようなブレスレットを装着するにあたっては、例えばセロハンテープなどでブレスレットの一端を一時的に腕に貼り付けるなどの工夫が採られることもあったが、これは根本的な解決策ではなかった。
【先行技術文献】
【特許文献】
【０００５】
【特許文献１】特開２００１−２４５７１４号公報
【特許文献２】特開２００６−２４７０９０号公報
【特許文献３】特開２００１−２２４４１２号公報
【発明の概要】
【発明が解決しようとする課題】
【０００６】
本発明は、このような背景を認識してなされたものであって、接続要素の接続・解除操作（係合受入操作・係合離脱操作）が行い易い新規な接続構造と、これを適用した新規な装身具の開発を技術課題としたものである。
【課題を解決するための手段】
【０００７】
すなわち請求項１記載の接続構造は、
受入保持要素と押込係止要素とから成る一対の要素部材が、係合受入状態から係合維持状態、更に係合離脱状態を選択するように構成された接続構造であって、
前記受入保持要素は、保持枠体と、この保持枠体に囲まれる保持空間と、保持枠体を一部で不連続状に形成した押し抜け開放部と、その不連続状の端部に形成され、前記押し抜け開放部を弾性的に閉鎖するキャッチ端部とを具え、且つこのキャッチ端部は、少なくとも保持枠体の外側に押込誘導部を具えて成るものであり、
一方、押込係止要素は、閉鎖環状の係止枠体を具え、その内側を係止受入部とするものであり、
前記受入保持要素と押込係止要素とは、係合受入状態では互いに、両者の相対姿勢を係止維持姿勢とは異なる係合受入姿勢として、押込係止要素の係止枠体を受入保持要素の押込誘導部に当てがって、両者を接近させ、押込係止要素における係止枠体の一部でキャッチ端部を押し拡げて押し抜け開放部を拡げ、係止枠体の一部を保持空間に押し入れるとともに、押込係止要素の係止受入部に、受入保持要素のキャッチ端部を収めた状態とし、
更に係合維持状態では、押込係止要素の係止枠体は、受入保持要素の押し抜け開放部に臨まない係合維持姿勢を維持し、
更に係合離脱状態では、押込係止要素の係止枠体を、受入保持要素の押し抜け開放部に臨ませた状態で、押し抜け開放部を拡げるように両者を分離方向に相対的に移動させ、接続状態を解除するようにしたことを特徴として成るものである。
【０００８】
また請求項２記載の接続構造は、前記請求項１記載の要件に加え、
前記係合維持姿勢では、押込係止要素における係止枠体の内側で、受入保持要素のキャッチ端部を捕捉し、押し抜け開放部の開放を阻止する構成であることを特徴として成るものである。
【０００９】
また請求項３記載の接続構造は、前記請求項１または２記載の要件に加え、
前記係合離脱のための係合離脱操作は、押込係止要素を受入保持要素に対し、係合受入のための係合受入操作を行うときとほぼ同じ方向に相対的に押し込む操作であり、
前記押込係止要素の係止枠体を、受入保持要素の保持空間の内側に収めるようにして、接続状態を解除するようにしたことを特徴として成るものである。
【００１０】
また請求項４記載の装身具は、
装身具本体の一端に受入保持要素を取り付けるとともに、もう一方の端部に押込係止要素を取り付け、装着時には受入保持要素の保持枠体と、押込係止要素の係止枠体を接続させ、両者を係合させるようにした装身具であって、
前記請求項１から３のいずれか１項記載の接続構造を適用したことを特徴として成るものである。
【発明の効果】
【００１１】
まず請求項１または４記載の発明によれば、受入保持要素と押込係止要素とを接続する係合受入操作と、この接続を解除する係合離脱操作とが簡易且つ確実な操作で行うことができる。また、係合離脱状態における二つの接続要素の相対的な姿勢（係合離脱姿勢）は、係合受入姿勢や係合維持姿勢とは異なるため、係合維持状態を強固に維持することができ、例えば本接続構造を装身具の留め具に適用した場合には、通常の使用状態において装身具が誤って外れてしまうことを防止できる。また係合離脱操作は、係止枠体の内側（係止受入部）に収めていたキャッチ端部を係止枠体の外側に移動させる操作であるため、装着者は、このような係合離脱操作を片手で行うこともでき（例えばテコの原理を利用）、片腕や指にハンディのある人でも係合離脱操作が行い易いものとなる。
【００１２】
また請求項２または４記載の発明によれば、係合維持状態では、押込係止要素の係止枠体内で、受入保持要素のキャッチ端部を捕捉し、押し抜け開放部が拡がらないようにするため、不用意に係止枠体が押し抜け開放部を通り抜けてしまうことがなく、係合維持状態を強固に維持することができる。
【００１３】
また請求項３または４記載の発明によれば、係合受入操作と係合離脱操作とが、押込係止要素を受入保持要素に対し、ほぼ同じ方向の押し込み（相対的押し込み）で行うため、装身具の取り付け・取り外しが容易に行え、装着者の勘違いによる誤操作等も防ぐことができる。また、装身具の取り付け・取り外しが、一方の接続要素を同じ方向に押し込む操作で行えるため（異なる操作を行う必要がないため）、取り付け・取り外しに要する時間も短縮できる。
【図面の簡単な説明】
【００１４】
【図１】本発明の接続構造（実施例１）を、装身具としてネックレスに適用した実施例を示す斜視図（ａ）、並びに当該接続構造を適用した留め具の係合受入操作及び係合離脱操作の一例を示す斜視図（ｂ）、並びに二つの接続要素に反対方向の引っ張り力が作用しても接続状態を維持し続ける係合維持状態の一例を示す説明図（ｃ）である。
【図２】実施例２の接続構造（留め具）を示す図であって、（ａ）は係合受入操作（状態）の一例を示す斜視図であり、（ｂ）は係合離脱操作（状態）の一例を示す斜視図である。
【図３】実施例３の接続構造（留め具）を示す図であって、（ａ）は未接続状態の受入保持要素と押込係止要素を別々に示す斜視図であり、（ｂ）は受入保持要素と押込係止要素とを接続した状態（装着のために装身具を周状に整列させた周回連結姿勢）で示す留め具の側面図であり、（ｃ）は二つの接続要素を接続する際に行う係合受入操作の一例を示す平面図であり、（ｄ）は二つの接続要素の係合離脱操作の一例（テコの原理を使って係合離脱を図るようにした操作の一例）を示す平面図である。
【図４】実施例４の接続構造（留め具）を示す図であって、（ａ）は受入保持要素と押込係止要素とをそれぞれ側面と平面の二方向から示す投影図であり、（ｂ）は両者の接続を図る係合受入操作の一例と接続後に留め具を周回連結姿勢に変更する様子を示す斜視図であり、（ｃ）は両者の接続を解除する係合離脱操作の一例（テコの原理を使って係合離脱を図るようにした操作の一例）を示す斜視図である。
【図５】受入保持要素の保持枠体を立体的に形成した接続構造（留め具）の改変例を示す斜視図である。
【図６】受入保持要素の保持枠体を複数の部材で構成した接続構造（留め具）の改変例を示す斜視図及び側面図と、受入保持要素の保持枠体を非対称に形成した接続構造（留め具）の改変例を示す側面図である。
【図７】押込係止要素における係止枠体の一部を不連続状に形成した接続構造（留め具）の改変例を示す斜視図である。
【図８】二つの接続要素の係合維持状態を一層強固に維持できるようにした接続構造（留め具）の改変例であって、（ａ）は押込係止要素を受入保持要素の押込誘導部から嵌め入れる様子を示す斜視図であり、（ｂ）は当該押込係止要素を押し抜け開放部の間に嵌め入れた様子（係止枠体の係止受入部にキャッチ端部を収めた様子）を示す斜視図であり、（ｃ）は押込係止要素の枠部をキャッチ端部に外嵌めし、キャッチ端部が拡がらないようにしたロック状態を示す斜視図である。
【図９】従来の接続構造（留め具）を二種示す説明図である。
【発明を実施するための形態】
【００１５】
本発明を実施するための形態は、以下の実施例に述べるものをその一つとするとともに、更にその技術思想内において改良し得る種々の手法を含むものである。
【実施例】
【００１６】
以下、本発明を図示の実施例に基づいて具体的に説明する。
本発明の接続構造は、受入保持要素２と押込係止要素３とを一対の接続要素として具えて成り、例えばネックレス等の装身具Ｎの留め具１に好適に用いられる。このため受入保持要素２及び押込係止要素３とは、一例として図１に示すように、接続・解除自在（連結・分離自在）に構成されるものである。なお、本明細書では、受入保持要素２及び押込係止要素３の両者を接続する操作／姿勢／状態を示す際に「係合受入（操作／姿勢／状態）」という用語を主に使用し、当該接続を解除する操作／姿勢／状態を示す際に「係合離脱（操作／姿勢／状態）」という用語を主に使用する。また、装着者Ｌが装身具Ｎを身に付ける通常の使用状態においては、当然ながら留め具１は両者の係合状態（接続状態）が維持され、この係合が解除されないような構成となっており、このためこの状態等については、「係合維持（状態／姿勢／操作）」という用語を主に使用する。
【００１７】
ここでネックレス等の装身具Ｎの基本構造について説明する。
装身具Ｎは、例えば上記図１に併せ示すように、一本の装身具本体１０（例えば複数の本真珠や人工真珠を直列状に連ねたもの）の一端に受入保持要素２を取り付けるとともに、もう一方の端部に押込係止要素３を取り付けた構造とするが、一対の受入保持要素２及び押込係止要素３に対し、複数の装身具本体１０を並列状に設けること（多連）も可能である。
このような構成上、受入保持要素２と押込係止要素３とには、装身具本体１０を固定状態に取り付けるための部位（ここでは孔）が形成されており、これを各々、本体取付孔２ｈ・３ｈとする。なお、本体取付孔２ｈ・３ｈ付近は、係合受入操作や係合離脱操作を行う際の操作端となることが多い。すなわち、例えば受入保持要素２に対し押込係止要素３を押し込むようにして係合受入操作を行う場合、このものの本体取付孔３ｈ付近を装着者Ｌが指で挟んで（つまんで）、当該操作を行うことが多く、特に接続要素のサイズが小さい場合に、このような操作が多く行われる。
また、本発明の接続構造を適用する装身具Ｎとしては上記ネックレスの他、ブレスレットやアンクレットなども挙げられる。因みに、ペンダントやチョーカ等は広義的にネックレスに含むものとする。もちろん、本発明の接続構造自体は、このような装身具Ｎへの適用に限定されるものではなく、種々の接続部、例えばバッグ等のベルトフック等にも適用できるし、クレーン等で荷物を吊り上げる際の、吊り荷とチェーンの接続部（連結部）等にも適用できる。
【００１８】
そして、本発明では、上記受入保持要素２と押込係止要素３とを接続する係合受入操作、及びこの接続を解除する係合離脱操作が、極めて簡易な操作で行え、また係合状態を強固に維持できることが大きな特徴である。
以下、本発明の基本的な実施例や、その構成等を部分的に変更した改変例について説明する。
【００１９】
〔実施例１〕
実施例１の接続構造（留め具１）は、一例として図１（ｂ）・（ｃ）に示すように、受入保持要素２が、平面視、略ハート形の保持枠体２１と、この保持枠体２１に囲まれる保持空間２２と、保持枠体２１を一部で不連続状に形成した押し抜け開放部２３と、保持枠体２１の不連続状端部に形成され、前記押し抜け開放部２３を弾性的に閉鎖する（開閉する）キャッチ端部２４とを具えて成る。また当該キャッチ端部２４には、少なくとも保持枠体２１の外側に押込誘導部２５が形成される。
一方、押込係止要素３は、例えば上記図１（ｂ）・（ｃ）に併せ示すように、平面視、略楕円形（略長円形）を呈する閉鎖環状の係止枠体３１を具え、その内側を係止受入部３２とする。この係止受入部３２は、両者（二つの接続要素）を接続し、この状態を維持する係合維持状態において、キャッチ端部２４を収める部位であり、上記図１では、貫通状の孔形状として形成されるが、未貫通の凹陥部として形成することも可能であり、要は係合維持状態において係止枠体３１の内側にキャッチ端部２４を収容することができれば構わない。なお、係止枠体３１の内側（係止受入部３２）にキャッチ端部２４を収めた状態でも受入保持要素２と押込係止要素３とは、その姿勢（相対的な姿勢）を自由に変更できることが好ましい。
【００２０】
そして、受入保持要素２と押込係止要素３とを接続する係合受入操作では、例えば押込係止要素３の係止枠体３１を、受入保持要素２の押し抜け開放部２３の外側から相対的に押し込み、係止受入部３２にキャッチ端部２４を収めるようにするものである（図１（ｂ）・（ｃ）では、一方の枠体が他方の枠内を貫通する接続状態となっている）。このため、本実施例において二つの接続要素を接続した状態は、両者が互いに鎖のようにつながった状態を呈する。
また、このような接続状態を解除する係合離脱操作では、例えば図１（ｂ）に併せ示すように、係合受入操作とほぼ同じ方向に押込係止要素３を相対的に押し込み、係止枠体３１を押し抜け開放部２３から通り抜けさせて、係止枠体３１を受入保持要素２の内側（保持空間２２）に一時的に収め（この操作で上記鎖状の接続が解除される）、両者を離脱させるものである。
【００２１】
ここで上記のように係合受入操作及び係合離脱操作において、押込係止要素３の押し込み動作を「相対的」と記載したのは、押込係止要素３を受入保持要素２に対して押し込む以外に、受入保持要素２を押込係止要素３に対して押し込むようにしても構わないためである。もちろん、両者を互いに接近させるように押し込むことも可能であり、上記「相対的」とは、このような操作を全て包含するものである。なお、以下の説明では、このような操作を行う際に「相対的」という用語を省略することがある。
【００２２】
また、係合受入操作と係合離脱操作を行う際の押し込み方向について「ほぼ（同じ方向）」と記載したのは、厳密な意味で全く同じ方向でなくてもよいためである。すなわち、受入保持要素２や押込係止要素３の構造や形状、あるいは装着者Ｌの手（指）の動かし方等によって、例えば接続時にはやや上向きの押し込み動作で嵌め込みながらも、接続解除時にはやや下向きの押し込み動作で外すこと等があり得、このような押し込み操作を考慮して、「ほぼ（同じ方向の押し込み）」と記載したものである。
また、上記図１（ｂ）では、受入保持要素２に対し押込係止要素３をほぼ直交させた屈曲姿勢（横姿勢）で、係合受入操作と係合離脱操作を行うように示したが、必ずしもこれに限定されるものではない。つまり、受入保持要素２に対し押込係止要素３をほぼ真っ直ぐにした縦姿勢（周回連結姿勢）で接続すること（押込係止要素３を長軸方向から押し込む態様）もあり得る。なお、この縦姿勢は、接続後の押込係止要素３（係止枠体３１）を、装着者Ｌの身体（装着部の形状）にフィットするように周状に整列させた姿勢であるため、本明細書では主に「周回連結姿勢」と称する。また、接続時の段階からこの周回連結姿勢で嵌め込めば、当然、接続後の姿勢変更は行わずに済むものである。
【００２３】
なお上記押込誘導部２５（図１（ｂ）・（ｃ）ではハート形を成す保持枠体２１の凹部外周側）は、係合受入操作のガイドを担う部位である。すなわち、係合受入操作は、上記のように係止枠体３１を保持枠体２１に相対的に押し込む操作であるため、係止枠体３１を押込誘導部２５に当てがって両者を接近させて行けば、自然に係止枠体３１の外周部で徐々にキャッチ端部２４を押し拡げることができ、最終的に押し抜け開放部２３が係止枠体３１の通過を許容する程度に開放した段階で、係止枠体３１の一部が保持空間２２内に入り込むものである。
このように本実施例１では押込係止要素３の係止枠体３１を、受入保持要素２の押込誘導部２５（ハート形の凹部）に接触させながら、押し抜け開放部２３（キャッチ端部２４）に向けて相対的に押し込んで行くと、上記押込誘導部２５によって自然に押込係止要素３（係止枠体３１）が受入保持要素２の押し抜け開放部２３を徐々に押し拡げるようになり、最終的には係止枠体３１が押し抜け開放部２３を通過し、キャッチ端部２４が係止受入部３２に収まるものである。
【００２４】
なお、上述したように係合受入操作においては、操作の行い易さから、一例として図１（ｂ）に示すように、係合受入姿勢として押込係止要素３を屈曲姿勢（受入保持要素２に対する相対姿勢）で押し込むことが考えられる。ただし、その場合には、接続後、装着者Ｌの身体（装着部の形状）にフィットするように押込係止要素３の姿勢を上記周回連結姿勢に変更するものである（図１（ａ）参照）。また、このようなことから受入保持要素２と押込係止要素３とは、キャッチ端部２４を係止受入部３２に収めた係合状態であっても、この状態を維持しながら、各々の姿勢が自由に変更できるように構成されることが好ましい。
【００２５】
次に係合維持状態について説明する。
装身具Ｎを装着者Ｌが身に付けている間は、二つの接続要素はキャッチ端部２４を係止枠体３１の内側（係止受入部３２）に収めた係合維持状態が維持される。ただし、通常の使用時においては、受入保持要素２と押込係止要素３とに反対方向の引っ張り力が作用する。例えばネックレスであれば装身具本体１０の自重が二つの接続要素に反対方向に作用し、ペンダントであれば更にペンダントトップの荷重が二つの接続要素に加わり、これらに離反方向の引っ張り力が作用する。このため通常の使用状態では、二つの接続要素は、一例として図１（ｃ）に実線で示すように、押込係止要素３の係止枠体３１（長円形の枠体）が、ハート形の保持空間２２のほぼ中央に位置する押し抜け開放部２３の左右いずれかに逃がされ、ここに寄った位置になる（これが係合維持状態／姿勢）。
従って、通常の使用状態では、係合状態の押込係止要素３（係止枠体３１）が、受入保持要素２の押し抜け開放部２３に臨む姿勢になることはない。ここで押込係止要素３が、押し抜け開放部２３に臨む姿勢とは、図１（ｃ）において想像線で示す姿勢であり、これが係合離脱姿勢や係合受入姿勢に該当する。
もちろん、装着者Ｌがネックレス等の装身具Ｎを身に付けた状態でジャンプ等すれば、二つの接続要素に作用していた上記離反方向の引っ張り力は一時的に作用しなくなることは考えられるため、係止枠体３１が瞬間的に押し抜け開放部２３に臨む姿勢になることはあるかも知れない。しかしながら、そのような場合であっても、受入保持要素２の保持空間２２がハート形を呈しており、また押し抜け開放部２３がハート形を成す保持空間２２の内側に突出するように形成されていること等から、装身具本体１０の自重やペンダントトップの荷重程度では、押込係止要素３が、押し抜け開放部２３に臨んだ姿勢から、そのまま押し抜け開放部２３を通り越してしまうことはない（係合状態が解除されてしまうことはない）。
このように二つの接続要素の係合維持姿勢（通常の使用状態の相対姿勢）は、係合受入姿勢や係合離脱姿勢とは異なるものであり、これにより係合維持姿勢が強固に維持される。
【００２６】
次に、係合離脱操作の詳細について説明する。
二つの接続要素の係合（接続）を解除する係合離脱操作では、押込係止要素３の係止枠体３１を、受入保持要素２の押し抜け開放部２３に臨ませた状態（係合離脱状態）で、押し抜け開放部２３を拡げるように両者（受入保持要素２・押込係止要素３）を分離方向に相対的に移動させ、係止枠体３１の内側（係止受入部３２）に収まっていたキャッチ端部２４を係止枠体３１の枠外に移動させて、両者を分離するものである。
なお、既に述べたように、この操作においては、上記図１（ｂ）に示すように、係合受入操作時とほぼ同じ方向に係止枠体３１を押し込み、係止枠体３１を押し抜け開放部２３から通り抜けさせて、受入保持要素２の枠内に収め（キャッチ端部２４を係止枠体３１外に相対的に移動させ）、係合離脱を図ることが可能である。
【００２７】
〔実施例２〕
実施例２の接続構造（留め具１）は、一例として図２に示すように、実施例１に対し、押込係止要素３の外観がほぼ細長い板状片で形成され、その内側に係止受入部３２としての矩形状の孔が開口されて成るものである。また、この押込係止要素３は、係止枠体３１の一端縁（一辺）が長寸となるように形成されており、このため上記係止受入部３２も本体取付孔３ｈの対向先端寄りに形成されている。
一方、受入保持要素２は、実施例１と同様に平面視、ほぼハート形を成すように形成されるものの、実施例１よりも保持枠体２１自体が太く形成されている（いわゆる骨太状の外観となっている）。
そして、本実施例２は、係合離脱操作を行うにあたり、押込係止要素３の相対的な係合離脱姿勢が、ある程度限定されるものであり、ここでは押込係止要素３を屈曲姿勢にして上記係合離脱操作を行っている。
より詳細には、例えば図２（ａ）に示すように、係合受入操作を行う際には押込係止要素３を周回連結姿勢として受入保持要素２に押し込むものの、係合離脱操作を行う際には例えば図２（ｂ）に示すように、押込係止要素３を屈曲姿勢に変更して押し込む（押し外す）ものである。なお、押込係止要素３の係合受入姿勢を周回連結姿勢としたのは、この姿勢（状態）がそのまま装身具Ｎを身に付ける姿勢（状態）になるためである。従って、押込係止要素３の係合受入姿勢を屈曲姿勢とすることも可能である。
【００２８】
本実施例２において係合離脱姿勢がある程度限定されるのは、図２（ａ）に併せ示すように、押込係止要素３における係止枠体３１の長手方向寸法３１Ｌが、受入保持要素２における保持空間２２の長手方向寸法２２Ｌよりも長いためである。すなわち、このような場合には、係合離脱時に押込係止要素３を周回連結姿勢として保持空間２２に押し込んでも、押込係止要素３が保持空間２２内に収まり切らず、当該方向の押し込み操作のみでは係合離脱できないためである。
もちろん、係合離脱操作の当初だけ、図２（ａ）のような周回連結姿勢で、押込係止要素３を押し込み、係止枠体３１の内側（係止受入部３２）に収まっていたキャッチ端部２４を係止受入部３２から除去してしまえば（キャッチ端部２４が長寸の枠部を挟むように移動させてしまえば）、例えば、その状態から押込係止要素３を上下方向（図２における上下方向）に、こじるように移動させて、二つの接続要素を分離させることは可能である。しかしながら、このような多段階の係合離脱操作は、例えばネックレスのような装身具Ｎの場合、装着者Ｌが首の後ろ側に手をまわして操作をしなければならないため（目視できない状況で操作しなければならないため）行いづらく、手さぐりでも外し易い操作、つまり押込係止要素３を屈曲姿勢にし、一回の押し込み操作でそのまま外すことができる操作（上記図２（ｂ）のような係合離脱操作）が好ましい。
【００２９】
なお、このような実施例２の接続構造（留め具１）においても、図２（ａ）→（ｂ）に示すように、押込係止要素３が受入保持要素２との係合状態を維持したまま（キャッチ端部２４が係止受入部３２に収まったまま）、その姿勢を自由に変更できることが好ましい（これも相対的な姿勢変更）。もちろん押込係止要素３の係合離脱姿勢は、図２（ｂ）に示す屈曲姿勢に限定されるものではなく、係合離脱操作時に押込係止要素３を押し込んだ際、押込係止要素３の係止枠体３１が受入保持要素２の保持空間２２内に収まるような姿勢であればよく、種々の姿勢が採り得る。
また、上述したように押込係止要素３の係合受入姿勢を、屈曲姿勢とすることもできるが（図１と同様）、その場合には、接続後に押込係止要素３を周回連結姿勢に変更し、留め具１（装身具本体１０）が例えば首などの周囲に馴染むように整える必要がある（後述の図３も同様）。
【００３０】
また、本実施例２では、受入保持要素２の押し抜け開放部２３は、保持空間２２への突出先端が尖るように形成される（押し抜け開放部２３同士の合わせ面先端が鋭角になるように形成される）。これにより、たとえ係合状態の押込係止要素３が押し抜け開放部２３の突出先端に当接しても、押込係止要素３は、より一層、押し抜け開放部２３の左右に逃げ易くなり（係止枠体３１が押し抜け開放部２３に臨まないようになり）、係合維持状態がより強固に維持される。すなわち、本実施例２では、保持空間２２の平面視形状が略ハート形であること、押し抜け開放部２３の保持空間２２側が突出状態に形成されること、押し抜け開放部２３の突出先端が鋭角状（傾斜状）に形成されること等が係合状態（係合維持状態）をより強固なものとしている。
【００３１】
〔実施例３〕
実施例３の接続構造（留め具１）は、一例として図３に示すように、受入保持要素２の保持枠体２１が、ほぼ一定幅の細長い板材（金属製の板材）から、側面視、概ね「Ω（ギリシャ文字の大文字のオメガ）」字状を成すように折り曲げ形成されて成り、この「Ω」の内側空間を保持空間２２とする。また保持枠体２１の両先端部は、先端側に向けて外拡がり状に湾曲形成され、ここが押込誘導部２５を構成する。
更に保持枠体２１の両端付近が最も接近するように形成され、ここが押し抜け開放部２３となる。また、この押し抜け開放部２３には、当該部位を形成する板部材の中央部を一部切り欠いて、押し抜け開放部２３の内側に突出する一対の逆爪が対向合わせ状に形成され、これが図３（ｂ）の拡大図に示すようにキャッチ端部２４を構成する。なお、係合維持状態では当該逆爪状のキャッチ端部２４は係止枠体３１の内側（係止受入部３２）に収まるものであり、より詳細には、キャッチ端部２４を係止受入部３２で積極的に捕捉するように構成される。また、当該キャッチ端部２４の先端（逆爪の先端）は、通常の使用状態では自由端側がほぼ密着するように形成される（いわゆる拝み合わせ状）。
因みに、本実施例３の受入保持要素２を形成するには、例えば一定厚の金属製の板材からプレス加工により保持枠体２１の外形を打ち抜きながら（ブランク取りしながら）、併せてキャッチ端部２４を片持ち状に打ち抜き形成し、その後、この金属板材の中央部と端部を湾曲させて保持枠体２１と押し抜け開放部２３を形成することができ、極めて大量生産（量産）に適した形状（構造）と言える。このように接続要素とりわけ受入保持要素２は、押し抜け開放部２３、キャッチ端部２４、押込誘導部２５等を有するため、勢い複雑な形状（構造）になり易いが、本実施例３では、このような受入保持要素２を大量生産に適した形状（構造）とすることができ、これにより留め具１の製造コストが抑えられるという格別な効果を奏する。
【００３２】
一方、押込係止要素３は、係止枠体３１が小さい矩形板状の外形を成すように形成され、その中央部付近に係止受入部３２としての孔（ここでは円形の孔）が開口される。また係止枠体３１の先端側には、装身具本体１０に用いられる真珠玉よりも小さい真珠玉が設けられ（これを係止維持ロック４とする）、係合維持状態では、この係止維持ロック４を保持空間２２内に収めるように構成される（図３（ｂ）参照）。
また、係止枠体３１は、係止維持ロック４の対向側に、矩形板状の連接体３３が、上記係止枠体３１に対しほぼ直交するように取り付けられ（いわゆる互い違い状）、この連接体３３に本体取付孔３ｈが形成される。なお、前記係止維持ロック４は、押し抜け開放部２３を拡げて（キャッチ端部２４を通過させて）、保持空間２２の内側に収めることができない大きさに設定される。
【００３３】
このように本実施例３では、押込係止要素３（係止枠体３１）の先端側に、押し抜け開放部２３（キャッチ端部２４）を通過し得ない係止維持ロック４が設けられるため、係合受入操作を行う際には、当該係止維持ロック４を避けながら、二つの接続要素を互いに接近させ、係合受入を図るものである。
具体的には、一例として図３（ｃ）に示すように、受入保持要素２の係合受入姿勢を押込係止要素３に対し屈曲姿勢として、押込係止要素３に押し込むものである。もちろん、このような留め具１を通常の使用状態とするには、係合受入後に受入保持要素２の屈曲姿勢を周回連結姿勢に変更し（図３（ｃ）に想像線で示す矢印参照）、留め具１（装身具本体１０）が、装着者Ｌの首などの周囲に馴染むようにするものである。
【００３４】
なお、本実施例３における係合維持状態（係止枠体３１の内側（係止受入部３２）でキャッチ端部２４を捕捉した状態）では、一例として図３（ｂ）の拡大図に示すように、二つの接続要素に離反方向の引っ張り力が作用しても、キャッチ端部２４の逆爪効果により、係止枠体３１の内側（係止受入部３２）とキャッチ端部２４の逆爪先端とが当接するだけで、押し抜け開放部２３を拡げるようには機能せず、上記係合維持状態が更に強化される。
【００３５】
もちろん、二つの接続要素に加わる離反方向の引っ張り力が大きければ、キャッチ端部２４が係止枠体３１の内側（係止受入部３２）から外れてしまうこと、つまり押し抜け開放部２３が無理やり拡がってしまうことは全く皆無ではないが、仮にそのような場合が生じても、保持空間２２内には係止維持ロック４が収まっているため、これが押し抜け開放部２３の拡がりを防止し、上記係合維持状態をより一層強固に維持するものである。
このように、本実施例３では、上記係合維持状態を多段階で（多重に）強化するものである。
因みに、上記図３（ｃ）では、係合受入操作を行う際、受入保持要素２を押込係止要素３に対して押し込むように図示しており、これが相対的な押し込み（受入保持要素２に対する押込係止要素３の相対的な押し込み）に該当する。
【００３６】
次に本実施例３における係合離脱操作について説明する。
〔係合離脱操作１〕
係合離脱操作を行うには、上記図１・図２と同様に、係止枠体３１を押し抜け開放部２３に臨ませた後（屈曲姿勢とした後）、係合受入操作時とほぼ同じ方向に受入保持要素２を押込係止要素３に対し相対的に押し込んで行き、両者を分離することが可能である（図３（ｃ）参照）。この場合、係合受入操作と係合離脱操作との押し込み方向（接続要素の押し込み方向）が、ほぼ同じ押し込み動作になるため、操作が簡易で行い易くなり、装着者Ｌも操作を勘違いすることがほとんどなくなり、また装着時間も短縮できる。
もちろん、係合離脱操作は、係止維持ロック４がキャッチ端部２４（押し抜け開放部２３）を通過しないように避けて行われるため、受入保持要素２は周回連結姿勢から屈曲姿勢に相対的に変更して係合離脱操作が行われる。
【００３７】
〔係合離脱操作２〕
また上記以外の係合離脱操作も可能であり、例えば図３（ｄ）に示すように、係止枠体３１を押し抜け開放部２３に臨ませながら、係合維持状態のキャッチ端部２４（係止枠体３１の内側で捕捉されているキャッチ端部２４）を回動中心として、両者（受入保持要素２と押込係止要素３）を接近させるように回動させて、両者を分離させることが可能である（いわゆるテコの原理）。
この場合、上記回動により、受入保持要素２（保持枠体２１）の側端面が連接体３３に当接し、上記回動力は阻まれるが、その反作用でキャッチ端部２４が係止枠体３１（係止受入部３２）の外方に向かうような力が働き、二つの接続要素が分離される（係合離脱操作が終了する）。
【００３８】
なお、このようなテコの原理で係合離脱操作を行う場合には（この係合離脱操作に特定する場合には）、係合離脱時に保持空間２２内に押込係止要素３の係止枠体３１を収める必要がないため、受入保持要素２の保持空間２２は、係止枠体３１を収める大きさ（係合離脱許容寸法）を有する必要がない。
また、このようなテコの原理を利用した係合離脱操作は、片手だけでも行うことができ（必ずしも両手を使って操作する必要がなく）、片手が不自由な人にとっても極めて行い易い操作となる。もちろん、装身具Ｎがブレスレットである場合には、健常者であってもブレスレットを嵌める方の手は操作に使用できないため、テコの原理を利用した係合離脱操作は、健常者にとっても極めて便利な操作方法と言える。
因みに、テコの原理を利用した係合離脱操作は、実施例１・２においても適用できる操作手法である。
【００３９】
なお、上述したように係合離脱操作において、例えば係止枠体３１を係合受入時とほぼ同じ方向に押し込む場合には、一旦、保持空間２２内に係止枠体３１を収めるため、保持空間２２は、係止枠体３１を収める大きさ（係合離脱許容寸法）が必要となる。例えば上記図２では、係合離脱状態の押込係止要素３、つまり押し抜け開放部２３を通り越した係止枠体３１が、保持枠体２１の内側に収まるように、保持空間２２の大きさや形状等が予め設定されるものである。具体的には、図２の係止枠体３１を周回連結姿勢で係合離脱させる場合には、保持空間２２の長手方向寸法２２Ｌ（係止枠体３１を受け入れ得る寸法）は、係止枠体３１の長手方向寸法３１Ｌ（図１（ｂ）では楕円形状で捉えた場合の短軸方向寸法）よりも大きく形成される必要がある。
【００４０】
〔実施例４〕
実施例４の接続構造（留め具１）は、一例として図４に示すように、受入保持要素２の保持枠体２１が側面視「コ」の字状に形成され、この「コ」の字の内側空間を保持空間２２とし、保持枠体２１の先端開口部を押し抜け開放部２３とするものである。また押し抜け開放部２３は平面視、円形状に形成され、その中央部が両側から押し抜け開放部２３側に突出するように形成され（略円柱状）、ここがキャッチ端部２４を構成する。また、キャッチ端部２４の開口側（保持枠体受入側）は、係止枠体３１の受入をガイドするように傾斜状に形成されており、ここが押込誘導部２５を構成する。
【００４１】
一方、押込係止要素３は、細長い直方体状の外形を成す小片ブロックの一端に、リング状の係止枠体３１を取り付けて成り、その内側に係止受入部３２としての円孔が開口される。また係止枠体３１の係合先端部には、係合維持状態を強化するための係止維持ロック４が上下に向けて（図４における上下）突出形成されており、係止維持状態では、この係止維持ロック４がキャッチ端部２４（非傾斜面側）に掛止するように構成される。
なお、図４では、二つの接続要素に設けられる本体取付孔２ｈ・３ｈを省略して図示している。また、押込係止要素３において細長い直方体状の外形を成す小片ブロックは、一部が肉抜き状に形成され、受入保持要素２とのデザイン的な統一化が図られている（軽量化にも寄与）。
【００４２】
このように本実施例４においても、係止枠体３１の係合先端部に係止維持ロック４が形成されるため、係合受入操作においては、この部位を避けながら、二つの接続要素を互いに接近させ、係合受入を図るものである。
具体的には、一例として図４（ｂ）に示すように、例えば受入保持要素２を屈曲姿勢として、押込係止要素３に押し込むものである。もちろん、係合受入後の受入保持要素２は、屈曲姿勢から周回連結姿勢に変更し（図４（ｂ）に想像線で示す矢印参照）、留め具１（装身具本体１０）が、例えば首などの周囲に馴染むように整えるものである。
【００４３】
また、本実施例４においても二つの接続要素の係合離脱操作は、上記図１・２と同様に、受入保持要素２を係合受入時とほぼ同じ方向に押し込んで両者を分離する方法が採り得る（図４（ｂ）参照）。
また、例えば図４（ｃ）に示すように、係合維持状態にある（係止枠体３１の内側に収まっている）キャッチ端部２４を回動中心として、押込係止要素３と受入保持要素２とを接近させるように回動させて行き（いわゆるテコの原理）、係合離脱を図ることも可能である。
【００４４】
因みに、この種の留め具１（接続構造）は、装着時に目立たない部位に配置されることが多く、例えばネックレスの場合には、通常、留め具１は、髪の毛で見えにくくなる首の後ろ側に据える配置が一般的である。これは、従来の留め具が、例えば引き輪Ｒ１と止め輪Ｒ２（ダルマと称される孔付きプレート）で構成され、装身具本体１０に比べてデザイン性に欠けるためと考えられる。しかしながら、本発明に係る留め具１（接続構造）であれば、受入保持要素２と押込係止要素３自体に、優れたデザイン性（装飾性）を持たせることができ、このため係合維持状態の二つの接続要素を例えばペンダントトップ等、装身具Ｎのメインに据えることが可能である。また、その場合には、首の後ろ側で行っていた係合受入操作や係合離脱操作が、装着者Ｌの前方（例えば胸元）で行え、装着者Ｌが操作の過程を直接目視したり、あるいは鏡に映して確認しながら行うことができ、より一層、接続・解除操作が行い易くなるものである。
もちろん、留め具１のデザイン性を高めて装身具Ｎのメインに据えることは、各実施例（改変例）について共通する概念であり、いずれかの実施例に限定される思想ではない。  また、上述した実施例は、どれも各接続要素が左右対称（シンメトリー）に形成されており、これため装身具Ｎに不可欠なデザイン的な美しさ（調和美）を演出し易いものである。因みに、従来の接続要素（引き輪と止め輪）では、装着者Ｌが行う引き輪の開閉操作が行い易いように、例えばペンダントトップが装着者Ｌの正面に向いた状態で、引き輪が装着者Ｌの利き手側に位置するように考慮したが、上記実施例ではこのような考慮は必要ないものである。
【００４５】
〔他の実施例〕
本発明は以上述べた実施例を一つの基本的な技術思想とするものであるが、更に次のような改変が考えられる。
まず上述した基本の実施例では、受入保持要素２の保持枠体２１は、適宜の奥行寸法を有するものの、基本的には、ほぼ一定の断面形状を有する枠体（言わば平面的な枠）として形成されるものであった。
しかしながら、受入保持要素２の保持枠体２１は、例えば図５に示すように、三次元的な枠体（言わば立体的な枠）として形成することが可能である。すなわち図５に示す改変例は、一例として保持枠体２１が、ほぼＣ字状を成す３つの枠部材を１２０度ずつ放射状に円柱を描くように接合して成り、３つの枠部材で囲まれた内側空間を保持空間２２とするものである。また本図５ではＣ字状を成す枠部材は、本体取付孔２ｈが形成される一端部（ここでは下側）のみで接合され、もう一方の端部（ここでは上側）は各枠部材が間隙を有するように構成され、この間隙が押し抜け開放部２３となる。
また、各枠部材の上側先端は下方に向けて鋭角状に形成され（いわゆる「返し」）、ここをキャッチ端部２４とする。また、キャッチ端部２４の対向側、すなわち３つの枠部材が集中する上縁が、面取り状に形成され、この面取り構造や枠部材同士の間隙が押込誘導部２５として機能する。
【００４６】
一方、押込係止要素３は、係止枠体３１が矩形板状の外形を成すように形成され、その係合先端寄りに係止受入部３２としての孔（ここでは円形の孔）が開口される。また係止枠体３１の係合先端部に、係止維持ロック４が設けられる。
【００４７】
次に、この改変例における係合受入操作について説明する。
二つの接続要素を接続する係合受入操作においては、例えば上記図５に併せ示すように、押込係止要素３（係止枠体３１）を、受入保持要素２（保持枠体２１）において枠部材が存在しない間隙から嵌め入れるものである。この際、枠部材の上縁に形成される押込誘導部２５をガイドとして押込係止要素３（係止枠体３１）を嵌め入れるものである。
次いで、両部材を係合維持状態とするには（係合維持操作を行うには）、係止枠体３１の内側（係止受入部３２）に、３つの枠部材のキャッチ端部２４が同時に収まるように、押込係止要素３（係止枠体３１）を操作するものである。もちろん、この状態で係止維持ロック４が保持空間２２の内側に収まり、上記係合維持状態が強固に維持される。
【００４８】
また先に述べた実施例１〜４では、受入保持要素２（保持枠体２１）は、主に一つの部材で形成され、部材の一端に押し抜け開放部２３を形成することでキャッチ端部２４を弾性的に閉鎖（開閉）するものであった。
しかしながら、受入保持要素２は必ずしも一つの部材で形成する必要はなく（一つの枠部材の一端に開放部を形成することで弾性的に開閉させる必要はなく）、例えば図６に示すように、二つの挟持部材２６を対向的に組み合わせ、その挟持作用部（キャッチ端部２４）をスプリング（ねじりコイルバネ）２７で閉鎖方向に付勢する構成も取り得、これはピンチ（いわゆる洗濯挟み）の構造と同様である。
なお、当該受入保持要素２には、挟持部材２６の後端側（キャッチ端部２４の反対側）に、図６中に想像線で示すような操作端２６ｔを形成することが可能であり、これにより例えば緊急時には双方の操作端２６ｔを押し込むように操作することで、押し抜け開放部２３（キャッチ端部２４）を瞬時に開放させ、即座に受入保持要素２から押込係止要素３を離脱させることができるものである。
【００４９】
また、先に述べた実施例１〜４では、受入保持要素２の保持枠体２１、特にキャッチ端部２４や押し抜け開放部２３が対称形状に形成され、保持枠体２１の両端がともに弾性的に閉鎖（開閉）するように形成されていたが、保持枠体２１は必ずしもこのような構造に限定されるものではない。すなわち保持枠体２１は、一例として図６の側面図（下側）に示すように、保持枠体２１の両端部が非対称に形成されてもよく、この場合には、枠体の一端部が主に撓むような構造になることが多い（微視的に見れば、もう一端部も撓むが、実用上無視できる）。
【００５０】
また、先に述べた実施例１〜４では、押込係止要素３の係止枠体３１は、係止受入部３２の外側が周状に連続するように形成されるものであった（いわゆる閉鎖環）。しかしながら、係止枠体３１は必ずしもこのような構造に限定されるものではなく、例えば図７に示すように、係止枠体３１の一部が不連続状に形成されても構わない。この場合、係合受入操作では、係止枠体３１も、上記不連続部によって弾性的に拡がり得るため、係合受入の操作がより行い易くなるが、一方で、この不連続部の存在により係合離脱が不用意に行われてしまうことが懸念される。このため上記不連続部の間隙は、このような不用意な係合離脱が行われないように、極めて狭い間隔かゼロにすることが好ましい。あるいは係止枠体３１については、この不連続部で弾性的な開閉が実質的に行われないように、部材の剛性を調整すること等も想定される。なお、このような考慮等に因み、特許請求の範囲に記載する「閉鎖環状の係止枠体」とは、上記不連続部が形成された係止枠体３１を包含するものである。
また、この場合、押込係止要素３は係止枠体３１の一部で不連続状を成し、受入保持要素２と類似した外観を呈するものであり、更には、このような接続要素を多数接続して装身具本体１０を構成することも可能である。
【００５１】
また、図８に示す改変例は、係合維持状態にある押し抜け開放部２３（キャッチ端部２４）の開放を、より一層確実に阻止するようにした改変例であり、この接続構造（留め具１）は、一例として上記図８に示すように、受入保持要素２の保持枠体２１を、平面視、概ね「Ω」状に形成し、この「Ω」の内側空間を保持空間２２とするものである（実施例３と類似）。また保持枠体２１の両端は、先端側に向けて外拡がり状に湾曲形成され、ここが押込誘導部２５を構成する。
更に保持枠体２１の両端付近が間隙を有して面合わせ状に形成され、この間隙が押し抜け開放部２３を構成し、上記面合わせ部がキャッチ端部２４となる。なお、キャッチ端部２４の保持空間２２側は突出状態に形成され、押し抜け開放部２３に面する先端が、図示のように鋭角状態に形成され、これが係止維持ロック４の作用を担う。すなわち、係合維持状態では、この鋭角部が押込係止要素３の先端に形成された枠部４１に内嵌めされ、押し抜け開放部２３（キャッチ端部２４）が拡がらないよう維持される（係合維持状態が、より一層強固に保たれる）。
【００５２】
一方、押込係止要素３は、係止枠体３１の一端縁（一辺）を長寸とした、言わば細長い板状片として形成されるものであり、本体取付孔３ｈに対向する先端側に係止受入部３２としての孔が開口されて成るものである（実施例２と類似）。また押込係止要素３は、係止受入部３２の先端に、係止維持ロック４の作用を担う枠部４１が設けられ、上述したように係合維持状態で、この枠部４１を前記キャッチ端部２４の先端に嵌める（掛止する）ことで、係合維持状態を、より一層強固に保つようにしている。
【００５３】
このような受入保持要素２と押込係止要素３とを接続する係合受入操作は、例えば図８（ａ）に示すように、押込係止要素３を屈曲姿勢にして受入保持要素２（押し抜け開放部２３）に押し込むものである。具体的には、上記図８（ａ）に示すように、押込係止要素３の係止枠体３１を押込誘導部２５に当てがいながら、徐々に押し抜け開放部２３の奥側に押し込んで行くものであり、この押し込みに伴い、係止枠体３１が受入保持要素２のキャッチ端部２４を左右に押し拡げ、押し抜け開放部２３を開放させて行くものである。
また、係止枠体３１がキャッチ端部２４を左右に押し拡げて行くことに伴い、図８（ｂ）に示すように、押込係止要素３（係止枠体３１）の姿勢を徐々に周回連結姿勢に変更して行くものであり、押込係止要素３が周回連結姿勢をとると、このものの係止受入部３２内にキャッチ端部２４が完全に収まるものである（拡がっていたキャッチ端部２４が弾性的に閉鎖した状態になる）。
【００５４】
その後、図８（ｃ）に示すように、押込係止要素３を本体取付孔３ｈ側に移動させて（引いて）、押込係止要素３の枠部４１を、受入保持要素２のキャッチ端部２４に外嵌めするものであり、これにより押し抜け開放部２３の拡がりが、より一層強固に阻止され、係合維持状態がより一層強化される（強固なロック状態）。
なお、図８の接続構造（留め具１）において、係合離脱操作を行うには、上述した操作を逆に行うことで実行することができる。
【符号の説明】
【００５５】
Ｎ      装身具
１０    装身具本体
１      留め具
２      受入保持要素
３      押込係止要素
２      受入保持要素
２ｈ    本体取付孔
２１    保持枠体
２２    保持空間
２２Ｌ  長手方向寸法
２３    押し抜け開放部
２４    キャッチ端部
２５    押込誘導部
２６    挟持部材
２６ｔ  操作端
２７    スプリング
３      押込係止要素
３ｈ    本体取付孔
３１    係止枠体
３１Ｌ  長手方向寸法
３２    係止受入部
３３    連接体
４      係止維持ロック
４１    枠部
Ｌ      装着者
Ｒ１    引き輪
Ｒ２    止め輪
Ｒ１′  フック状引き輪
Ｔ      操作端（開閉操作端）
【図１】
2016221179.tif 000003
【図２】
2016221179.tif 000004
【図３】
2016221179.tif 000005
【図４】
2016221179.tif 000006
【図５】
2016221179.tif 000007
【図６】
2016221179.tif 000008
【図７】
2016221179.tif 000009
【図８】
2016221179.tif 000010
【図９】
2016221179.tif 000011